(57)【要約】【課題】既存のレンズ鏡胴に対して単純構造の小部品を付加するだけの改良によって耐衝撃性を向上させ、レンズ鏡筒の破損等を防止することが可能であり、しかも構造がシンプルであるために組立てが容易、且つ小型化が可能なレンズ鏡筒、及び撮像装置を提供する。【解決手段】レンズ群を構成する各レンズを保持し且つ回転することで光軸方向の所定位置に移動させるレンズ駆動装置Ｄ３と、レンズ駆動装置を保持する固定枠３と、を有したレンズ鏡胴であって、レンズ駆動装置は、内周にカム溝６ｂを有した回転移動枠６と、回転移動枠の内径側に配置されてカム溝と嵌合するカムフォロワ９ａを外周に備えた一つの直進移動枠９と、該一つの直進移動枠の内径側に配置された他の直進移動枠７と、を有し、他の直進移動枠の内周に補強用の金属製リング１６を設置した。【選択図】図１
2008076580.tif 000002
【特許請求の範囲】
【請求項１】
撮像面に被写体像を結像させるレンズ群と、前記レンズ群を構成する各レンズを保持し且つ光軸方向の所定位置に移動させるレンズ駆動装置と、前記レンズ駆動装置を保持する固定枠と、を有し、前記レンズ群のうちの少なくとも一部を収納する沈胴状態から前記レンズ群のうちの少なくとも一部を被写体側に移動することにより撮影状態とするレンズ鏡胴であって、
前記レンズ駆動装置は、内周にカム溝を有した回転移動枠と、該回転移動枠の内径側に配置されて前記カム溝と嵌合するカムフォロワを外周に備えた一つの直進移動枠と、該一つの直進移動枠の内径側に配置された他の直進移動枠と、を有し、
前記他の直進移動枠の内周に補強用の金属製リングを設置したことを特徴とするレンズ鏡胴。
【請求項２】
前記金属製リングを備えた前記他の直進移動枠は、被写体側に最も繰り出す直進移動枠であることを特徴とする請求項１に記載のレンズ鏡胴。
【請求項３】
前記金属製リングを備えた直進移動枠は、被写体側へ最も繰り出す直進移動枠の次に被写体側へ繰り出す直進移動枠であることを特徴とする請求項１に記載のレンズ鏡胴。
【請求項４】
前記金属製リングはその軸方向幅内に、外径側に位置する前記カムフォロワの少なくとも一部を含むように構成されていることを特徴とする請求項１、２又は３に記載のレンズ鏡胴。
【請求項５】
撮像面に被写体像を結像させるレンズ群と、前記レンズ群を構成する各レンズを保持し且つ回転することで光軸方向の所定位置に移動させるレンズ駆動装置と、前記レンズ駆動装置を保持する固定枠と、を有し、前記レンズ群のうちの少なくとも一部を収納する沈胴状態から前記レンズ群のうちの少なくとも一部を被写体側に移動することにより撮影状態とするレンズ鏡胴であって、
前記レンズ駆動装置は、内周にカム溝を有した回転移動枠と、該回転移動枠の内径側に配置されて前記カム溝と嵌合するカムフォロワを外周に備えた一つの直進移動枠と、該一つの直進移動枠の内径側に配置された他の直進移動枠と、を有し、
前記一つの直進移動枠の外周に補強用の金属製リングを設置すると共に、該一つの直進移動枠と前記金属製リングに対して別部材としての前記カムフォロワを挿通させて固定配置したことを特徴とするレンズ鏡胴。
【請求項６】
前記カムフォロワは、前記金属製リングが設置された前記一つの直進移動枠の外周面に設けた穴内に嵌合配置されていることを特徴とする請求項５に記載のレンズ鏡胴。
【請求項７】
請求項１乃至６の何れか一項に記載のレンズ鏡胴を備えたことを特徴とする撮像装置。
【発明の詳細な説明】
【技術分野】
【０００１】
本発明は、デジタルカメラ、ビデオカメラ、銀塩カメラ等のズームレンズ機構を備えた撮像装置に装備されるレンズ鏡胴の改良に関し、特にレンズ群を収納した沈胴状態と、レンズ群を所定位置まで突出させた繰り出し状態との間を進退させることにより、複数のレンズ群を相対的に移動させて焦点距離を変更することができるズームレンズに好適なレンズ鏡胴、及び撮像装置に関するものである。
【背景技術】
【０００２】
デジタルカメラ、ビデオカメラ、銀塩カメラ等のズームレンズ機構を備えた撮影装置に装備されるレンズ鏡胴として、撮像素子と、撮像素子に対して被写体像を結像するための複数のレンズと、複数のレンズを所定の位置に進退移動させるためのレンズ駆動装置と、を備えたものが知られている。
近年のコンパクトカメラに用いられるレンズ駆動装置としては、光軸と平行な中心軸を中心として回転することにより光軸方向に進退する１つ以上の回転移動枠と、回転せずに光軸方向に進退する１つ以上の直進移動枠等により構成され、非使用時には短く収納され、使用時には光軸方向に伸長することにより各レンズを所定の位置に保持し所定の焦点距離とするタイプが知られている。
【０００３】
また、カメラの小型化に伴ってレンズ鏡胴の小型化も急速に進んでおり、撮像面に被写体像を結像させるレンズ群と、複数のレンズを夫々保持する複数のレンズ保持枠と、各レンズ保持枠を保持し且つ回転することで各レンズ保持枠を光軸方向の所定位置に移動させる複数の回転移動枠と、レンズ群、レンズ保持枠、及び回転移動枠を保持する固定筒と、を有し、レンズ群を収納する沈胴状態から各レンズ群を被写体側に移動することにより撮影状態とする多段沈胴式のレンズ鏡胴が知られている。
小型化のための多段沈胴化は、レンズの移動距離を確保するためには非常に優れた手段ではあるが、段数の増大に伴って光軸方向から見たレンズ鏡胴の投影面積（外径寸法）はそのまま厚さの増加分だけ増大してゆくことになる。投影面積を小さくするためには、各段を構成する筒部材の厚さを薄くする必要がある。しかし、各筒部材を薄くすると、落下、衝突等による衝撃や振動が加わった際に破壊し易くなる虞がある。
また、カメラを電源ＯＮのまま落下させてしまうと、対物側へ最も繰り出しているレンズ保持枠に落下衝撃力が加わることが最も多い。この際、レンズ保持枠には回転移動筒の内径に設置されたカム溝に嵌合するカムフォロワが設置されており、このカムフォロワがカム溝から外れることによってレンズ鏡胴が破損する例が多い。
【０００４】
図４は第１従来例に係るレンズ鏡胴の構成を示す断面図であり、上半分は繰り出し状態、下半分は沈胴状態を示している。
このレンズ鏡胴は、デジタルカメラ等の撮像装置本体側に配置される撮像素子１、及びＬＰＦ等のフィルタ２に対して被写体像を結像させるためのレンズ群１１、１２、１３、１４と、各レンズの光軸方向位置関係を進退移動させるためのレンズ駆動装置Ｄ１と、を備えている。
レンズ駆動装置Ｄ１は、撮像装置本体側に固定される筒状の固定枠３と、固定枠３の内周に形成したガイド３ａによって光軸方向へ直線的に進退自在に支持された第１直進移動枠５と、固定枠３と第１直進移動枠５との間に配置されて回転することにより光軸方向へ進退移動する第１回転移動枠４と、第１回転移動枠４の内径側に配置されて回転することにより光軸方向へ進退自在に支持された第２回転移動枠６と、第２回転移動枠６の内側に配置されて光軸方向へ直線的に進退自在に支持された第２直進移動枠７と、第２回転移動枠６と第２直進移動枠７との間に配置されて光軸方向へ直線的に進退自在に支持されると共に第１レンズ群１１を支持する第３直進移動枠９と、第２直進移動枠７の内側に配置されて第２レンズ群１２の外周部とシャッタ・絞り装置１５の外周部を夫々支持する螺旋ガイド８ａ、８ｂを有したカムリング８と、図示しない他の保持枠によって支持された第３、第４のレンズ群１３、１４と、前飾り１０と、を備えている。
【０００５】
固定枠３には、第１回転移動枠４を駆動するモータ及び複数のギヤが備えられ、第１回転移動枠４と係合している。これによりモータから受けた回転力がギヤを介して第１回転移動枠４を回転し、第１直進移動枠５、第２回転移動枠６、第２直進移動枠７を介して第３直進移動枠９を光軸方向に進退させる。
第１直進移動枠５は外周面に設けたカムフォロワ５ａを第１回転移動枠４の内周面に設けた螺旋状のカム溝４ａ内に嵌合させているため、第１回転移動枠４が回転することによって光軸方向へ直線的に進退することができる。
第２直進移動枠７は外周面に設けたカムフォロワ７ａを第２回転移動枠６の内周面に設けた螺旋状のカム溝６ａ内に嵌合させているため、第２回転移動枠６が回転することによって光軸方向へ直線的に進退することができる。
【０００６】
第３直進移動枠９は内径側を第２直進移動枠７の外周面に設けた直進ガイド７ｂによって光軸方向へ進退自在に支持されると共に、その外周面に突設したカムフォロワ９ａを第２回転移動枠６の内周面に設けた螺旋状のカム溝６ｂに嵌合させている。このため、第２回転移動枠６が回転することによってカムフォロワ９ａがカム溝６ｂ内に沿って相対的に光軸方向へ移動し、その結果第３直進移動枠９が光軸方向へ進退することとなる。
しかし、このタイプのレンズ鏡胴にあっては、第３直進移動枠９の前端面に矢印Ａ方向から強い力が加えられると、第３直進移動枠９のカムフォロワ部９ａが第２回転移動枠６の内径に設けたカム溝６ｂに強く接触して該接触部にスラスト力が発生し、第３直進移動枠９の後端部が第２直進移動枠７の前端部を矢印Ｂで示す内径方向へ押圧し、その結果、カムフォロワ部９ａがカム溝６ｂから外れてレンズ鏡胴が破損する虞があった。
【０００７】
次に、図５は第２従来例に係るレンズ鏡胴の構成を示す断面図であり、上半分は沈胴状態、下半分は繰り出し状態を示している。
このレンズ鏡胴は、デジタルカメラ等の撮像装置本体側に配置される撮像素子２１、及びＬＰＦ等のフィルタ２２に対して被写体像を結像させるためのレンズ群３１、３２、３３と、各レンズ群の光軸方向位置関係を進退移動させるためのレンズ駆動装置Ｄ２と、を備えている。
レンズ駆動装置Ｄ２は、撮像装置本体側に固定される筒状の固定枠２３と、固定枠２３の内周に形成したガイド２３ａによって光軸方向へ直線的に進退自在に支持された第１直進移動枠２５と、固定枠２３と第１直進移動枠２５との間に配置されて回転することにより光軸方向へ進退する第１回転移動枠２４と、第１直進移動枠２５の内径側に配置されて回転することにより光軸方向へ進退自在に支持されると共に第１レンズ群３１を支持した第２直進移動枠２６と、前飾り２７と、第１回転移動枠２４の内側に配置されて第２レンズ群３２を保持しつつ光軸方向へ進退するレンズ保持枠２８と、図示しない他の保持枠により保持された第３レンズ群３３と、レンズ保持枠２８と共に光軸方向へ進退するシャッタ・絞り装置３４と、を備えている。
【０００８】
固定枠２３には、第１回転移動枠２４を駆動するモータ及び複数のギヤが備えられ、第１回転移動枠２４と係合している。これによりモータから受けた回転力がギヤを介して第１回転移動枠２４を回転し、第１直進移動枠２５及び第２直進移動枠２６を光軸方向に進退させる。
第２直進移動枠２６はその外周面に突設したカムフォロワ２６ａを第１回転移動枠２４の内周に設けた螺旋状のカム溝２４ａに嵌合させいるため、第１回転移動枠２４の回転時に光軸方向へ直線的に移動することができる。
【０００９】
レンズ保持枠２８はその外周面に突設したカムフォロワ２８ａを第１回転移動枠２４の内周に設けた螺旋状のカム溝２４ｂに嵌合させいるため、第１回転移動枠２４の回転時に光軸方向へ移動することができる。
しかし、このタイプのレンズ鏡胴にあっては、第２直進移動枠２６の前端面に矢印Ａ方向から強い力が加えられると、第２直進移動枠２６のカムフォロワ部２６ａが第１回転移動枠２４の内径に設けたカム溝２４ａに強く接触して該接触面にスラスト力を発生し、第２直進移動枠２６の端部を矢印Ｂで示す内径方向に押圧し、その結果、カムフォロワ部２６ａがカム溝２４ａから外れてレンズ鏡胴が破損する虞があった。
【００１０】
このような不具合に対処するために、衝撃、振動対策等のためにレンズ鏡筒に緩衝部材を設けたものがある（例えば、特許文献１乃至４等）。
しかし、このような耐衝撃のための構造を備えた従来のレンズ鏡胴にあっては、レンズ保持枠と鏡枠保護部材の２重構造となるため形状が大きくなるという問題があった。
また外力等が加わった場合に緩衝部材が移動する構造を採用するため、鏡枠保護部材と緩衝部材の取り付け構造が複雑化するという問題があった。
【特許文献１】特開２０００−２９２８４３公報
【特許文献２】特開２００１−１１６９７４公報
【特許文献３】特開２００３−２２７９９２公報
【特許文献４】特開２００５−６２４４５公報
【発明の開示】
【発明が解決しようとする課題】
【００１１】
本発明は上記従来の課題に鑑みてなされたものであり、既存のレンズ鏡胴に対して単純構造の小部品（金属製リング）を付加するだけの改良によって耐衝撃性を向上させ、レンズ鏡筒の破損等を防止することが可能であり、しかも構造がシンプルであるために組立てが容易、且つ小型化が可能なレンズ鏡筒、及び撮像装置を提供することを目的としている。
【課題を解決するための手段】
【００１２】
上記目的を達成するため、請求項１の発明は、撮像面に被写体像を結像させるレンズ群と、前記レンズ群を構成する各レンズを保持し且つ回転することで光軸方向の所定位置に移動させるレンズ駆動装置と、前記レンズ駆動装置を保持する固定枠と、を有し、前記レンズ群のうちの少なくとも一部を収納する沈胴状態から前記レンズ群のうちの少なくとも一部を被写体側に移動することにより撮影状態とするレンズ鏡胴であって、前記レンズ駆動装置は、内周にカム溝を有した回転移動枠と、該回転移動枠の内径側に配置されて前記カム溝と嵌合するカムフォロワを外周に備えた一つの直進移動枠と、該一つの直進移動枠の内径側に配置された他の直進移動枠と、を有し、前記他の直進移動枠の内周に補強用の金属製リングを設置したことを特徴とする。
【００１３】
請求項２の発明は、請求項１において、前記金属製リングを備えた前記他の直進移動枠は、被写体側に最も繰り出す直進移動枠であることを特徴とする。
請求項３の発明は、請求項１において、前記金属製リングを備えた直進移動枠は、被写体側へ最も繰り出す直進移動枠の次に被写体側へ繰り出す直進移動枠であることを特徴とする。
請求項４の発明は、請求項１、２又は３において、前記金属製リングはその軸方向幅内に、外径側に位置する前記カムフォロワの少なくとも一部を含むように構成されていることを特徴とする。
【００１４】
請求項５の発明は、撮像面に被写体像を結像させるレンズ群と、前記レンズ群を構成する各レンズを保持し且つ回転することで光軸方向の所定位置に移動させるレンズ駆動装置と、前記レンズ駆動装置を保持する固定枠と、を有し、前記レンズ群のうちの少なくとも一部を収納する沈胴状態から前記レンズ群のうちの少なくとも一部を被写体側に移動することにより撮影状態とするレンズ鏡胴であって、前記レンズ駆動装置は、内周にカム溝を有した回転移動枠と、該回転移動枠の内径側に配置されて前記カム溝と嵌合するカムフォロワを外周に備えた一つの直進移動枠と、該一つの直進移動枠の内径側に配置された他の直進移動枠と、を有し、前記一つの直進移動枠の外周に補強用の金属製リングを設置すると共に、該一つの直進移動枠と前記金属製リングに対して別部材としての前記カムフォロワを挿通させて固定配置したことを特徴とする。
【００１５】
請求項６の発明は、請求項５において、前記カムフォロワは、前記金属製リングが設置された前記一つの直進移動枠の外周面に設けた穴内に嵌合配置されていることを特徴とする。
請求項７の発明に係る撮像装置は、請求項１乃至６の何れか一項に記載のレンズ鏡胴を備えたことを特徴とする。
【発明の効果】
【００１６】
以上のように本発明によれば、内周にカム溝を有した回転移動枠と、該回転移動枠の内径側に配置されてカム溝と嵌合するカムフォロワを外周に備えた一つの直進移動枠と、該一つの直進移動枠の内径側に配置された他の直進移動枠と、を有たレンズ駆動装置において、他の直進移動枠の内周に補強用の金属製リングを設置したので、既存のレンズ鏡胴に対して単純構造の小部品（金属製リング）を付加するだけの改良によって耐衝撃性を向上させ、レンズ鏡筒の破損等を防止することが可能であり、しかも構造がシンプルであるために組立てが容易、且つ小型化が可能なレンズ鏡筒、及び撮像装置を提供することができる。
【発明を実施するための最良の形態】
【００１７】
以下、本発明を図面に示した実施の形態により詳細に説明する。
図１は本発明の第１実施形態に係るレンズ鏡胴の構成を示す断面図であり、この実施形態は第１従来例に対応している。
このレンズ鏡胴は、デジタルカメラ等の撮像装置本体側に配置される撮像素子１、及びＬＰＦ等のフィルタ２に対して被写体像を結像させるためのレンズ群１１、１２、１３、１４と、各レンズ群の光軸方向位置関係を進退移動させるためのレンズ駆動装置Ｄ３と、を備えている。
【００１８】
レンズ駆動装置Ｄ３は、撮像装置本体側に固定される筒状の固定枠３と、固定枠３の内周に形成したガイド３ａによって光軸方向へ直線的に進退自在に支持された第１直進移動枠５と、固定枠３と第１直進移動枠５との間に配置されて回転することにより光軸方向へ進退移動する第１回転移動枠４と、第１回転移動枠４の内径側に配置されて回転することにより光軸方向へ進退自在に支持された第２回転移動枠６と、第２回転移動枠６の内側に配置されて光軸方向へ直線的に進退自在に支持された第２直進移動枠７と、第２回転移動枠６と第２直進移動枠７との間に配置されて光軸方向へ直線的に進退自在に支持されると共に第１レンズ群１１を支持する第３直進移動枠９と、第２直進移動枠７の内側に配置されて第２レンズ群１２の外周部とシャッタ・絞り装置１５の外周部を夫々支持する螺旋ガイド８ａ、８ｂを有したカムリング８と、図示しない他の保持枠によって支持された第３、第４のレンズ群１３、１４と、第３直進移動枠９の前端部に配置された前飾り１０と、を備えている。
【００１９】
固定枠３には、第１回転移動枠４を駆動するモータ及び複数のギヤが備えられ、第１回転移動枠４と係合している。これによりモータから受けた回転力がギヤを介して第１回転移動枠４を回転し、第１直進移動枠５、第２回転移動枠６、第２直進移動枠７を介して第３直進移動枠９を光軸方向に進退させる。
第１直進移動枠５は外周面に設けたカムフォロワ５ａを第１回転移動枠４の内周面に設けた螺旋状のカム溝４ａ内に嵌合させているため、第１回転移動枠４が回転することによって光軸方向へ直線的に進退することができる。
第２直進移動枠７は外周面に設けたカムフォロワ７ａを第２回転移動枠６の内周面に設けた螺旋状のカム溝６ａ内に嵌合させているため、第２回転移動枠６が回転することによって光軸方向へ直線的に進退することができる。
【００２０】
第３直進移動枠９は内径側を第２直進移動枠７の外周面に設けた直進ガイド７ｂによって光軸方向へ進退自在に支持されると共に、その外周面に突設したカムフォロワ９ａを第２回転移動枠６の内周面に設けた螺旋状のカム溝６ｂに嵌合させている。このため、第２回転移動枠６が回転することによってカムフォロワ９ａがカム溝６ｂ内に沿って相対的に光軸方向へ移動し、その結果第３直進移動枠９が光軸方向へ進退することとなる。
本発明に係るレンズ鏡胴の特徴的な構成は、第２直進移動枠７の内周面であって、図示した繰り出し時にカムフォロワ９ａとカム溝６ｂとの嵌合部に対応する位置に、薄板状の金属製リング１６を周方向に配置した点にある。特に、金属製リング１６の光軸方向幅Ｃ内に少なくともカムフォロワ９ａの一部が位置するように位置関係、寸法関係を設定するのが好ましい。
【００２１】
本発明の実施形態にあっては、第３直進移動枠９の光軸方向前端部に衝撃等の外力Ａが加わったことによってカム溝６ｂ内壁からカムフォロワ９ａの外面に対してＢ方向に力が働いたとしても、第２直進移動枠７の内周に設置された金属製リング１６の剛性により第２直進移動枠７の前端部及び第３直進移動枠９の後端部がＢ方向に変形することを防止するので、カムフォロワ部９ａがカム溝６ｂから外れてレンズ鏡胴が分解することも防止できる。
また、特に金属製リング１６が設置されている光軸方向の範囲Ｃ内にカムフォロワ９ａが設置されているので、変形防止によるレンズ鏡胴破壊防止効果を更に大きくすることができる。
【００２２】
次に、図２は図１の実施形態の変形実施例を示す要部拡大断面図である。
この実施形態に係るレンズ鏡胴は、第３直進移動枠９の外周面に突起状のカムフォロワ９ａを一体的に設ける代わりに、第３直進移動枠９の同等箇所に別部材としてのカムフォロワ１８の基部１８ａを第３直進移動枠９に設けた支持穴９ｂ内に固定配置してその先端部（摺動面）１８ｂを第２回転移動枠６の内周面に設けた螺旋状のカム溝６ｂと嵌合させると共に、第３直進移動枠９の外周面であってカムフォロワ１８と対応する位置に金属製リング１７を配置している。即ち、本実施形態においては、第３直進移動枠９の外周面適所に金属製リング１７が固定され、金属製リング１７の挿通穴１７ａにカムフォロワ１８の基部１８ａが貫通することにより固定設置されている。またカムフォロワ１８の基部１８ａは、金属製リング１７に設けた挿通穴１７ａを貫通すると共に内径側へ突出しており、基部１８ａが第３直進移動枠９に設けられた支持穴９ｂに嵌合することにより第３直進移動枠９とカムフォロワ１８の回転方向の規制を行っている。これによりカムフォロワ１８にＢ方向の力が働いてもカムフォロワ１８は金属製リング１７に設置されているので、金属製リング１７の剛性によりＢ方向に変形することが防止される。また第３直進移動枠９にＡ方向の力が働いても直進移動枠９とカムフォロワ１８が回転方向に規制されているので、金属リング１７とカムフォロワ１８は回転しない。
【００２３】
次に、図３は第２従来例に対応する本発明の他の実施形態に係るレンズ鏡胴の構成を示す断面図であり、上側は収納状態、下側は繰り出し状態を示している。
このレンズ鏡胴は、デジタルカメラ等の撮像装置本体側に配置される撮像素子２１、及びＬＰＦ等のフィルタ２２に対して被写体像を結像させるためのレンズ群３１、３２、３３と、各レンズ群の光軸方向位置関係を進退移動させるためのレンズ駆動装置Ｄ４と、を備えている。
【００２４】
レンズ駆動装置Ｄ４は、撮像装置本体側に固定される筒状の固定枠２３と、固定枠２３の内周に形成したガイド２３ａによって光軸方向へ直線的に進退自在に支持された第１直進移動枠２５と、固定枠２３と第１直進移動枠２５との間に配置されて回転することにより光軸方向へ進退する第１回転移動枠２４と、第１直進移動枠２５の内径側に配置されて回転することにより光軸方向へ進退自在に支持されると共に第１レンズ群３１を支持した第２直進移動枠２６と、第２直進移動枠２６の前端部に配置された前飾り２７と、第１回転移動枠２４の内側であって第２直進移動枠２６の後方に配置されて第２レンズ群３２を保持しつつ光軸方向へ進退するレンズ保持枠２８と、図示しない他の保持枠により保持された第３レンズ群３３と、レンズ保持枠２８と共に光軸方向へ進退するシャッタ・絞り装置３４と、を備えている。
【００２５】
固定枠２３には、第１回転移動枠２４を駆動するモータ及び複数のギヤが備えられ、第１回転移動枠２４と係合している。これによりモータから受けた回転力がギヤを介して第１回転移動枠２４を回転し、第１直進移動枠２５及び第２直進移動枠２６を光軸方向に進退させる。
第２直進移動枠２６はその外周面に突設したカムフォロワ２６ａを第１回転移動枠２４の内周に設けた螺旋状のカム溝２４ａに嵌合させいるため、第１回転移動枠２４の回転時に光軸方向へ直線的に移動することができる。
レンズ保持枠２８はその外周面に突設したカムフォロワ２８ａを第１回転移動枠２４の内周に設けた螺旋状のカム溝２４ｂに嵌合させいるため、第１回転移動枠２４の回転時に光軸方向へ移動することができる。
【００２６】
本実施形態に係るレンズ鏡胴の特徴的な構成は、第２直進移動枠２６の内周面であって、図示した繰り出し時にカムフォロワ２６ａとカム溝２４ａとの嵌合部に対応する位置に、薄板状の金属製リング３０を周方向に配置した点にある。特に、金属製リング３０の光軸方向幅Ｃ内に少なくとも突起状のカムフォロワ２６ａの一部が位置するように位置関係、寸法関係を設定するのが好ましい。
本発明の実施形態にあっては、第２直進移動枠２６の光軸方向前端部に衝撃等の外力Ａが加わったことによってカム溝２４ａ内壁からカムフォロワ２６ａの外面に対してＢ方向に力が働いたとしても、第２直進移動枠２６の内周に設置された金属製リング３０の剛性により第２直進移動枠２６の後端部がＢ方向に変形することを防止するので、カムフォロワ部２６ａがカム溝２４ａから外れてレンズ鏡胴が分解することも防止できる。
また、特に金属製リング３０が設置されている光軸方向の範囲Ｃ内にカムフォロワ２６ａが設置されているので、変形防止によるレンズ鏡胴破壊防止効果を更に大きくすることができる。
【００２７】
本発明のレンズ鏡胴は、デジタルカメラ、ビデオカメラ、銀塩カメラ、その他ズーム式の鏡胴を備えた撮像装置一般に適用することにより、衝撃等の力に強い撮像装置を提供することができる。
【図面の簡単な説明】
【００２８】
【図１】本発明の第１実施形態に係るレンズ鏡胴の構成を示す断面図である。
【図２】図１の実施形態の変形実施例を示す要部拡大断面図である。
【図３】第２従来例に対応する本発明の他の実施形態に係るレンズ鏡胴の構成を示す断面図である。
【図４】第１の従来例に係るレンズ鏡胴の構成を示す断面図である。
【図５】第２の従来例に係るレンズ鏡胴の構成を示す断面図である。
【符号の説明】
【００２９】
１：撮像素子、２：ＬＰＦ、３：固定枠、４：第１回転移動枠、５：第１直進移動枠、６：第２回転移動枠、６ａ：カム溝、７：第２直進移動枠、８：カムリング、９：第３直進移動枠、９ａ：カムフォロワ部、９ｂ：穴形状、１０：前飾り部品、１１：第１レンズ群、１２：第２レンズ群、１３：第３レンズ群、１４：第４レンズ群、１５：シャッタ・絞り装置、１６、１７：金属製リング、１８：カムフォロワ、２１：撮像素子、２２：ＬＰＦ、２３：固定枠、２４：第１回転移動枠、２５：第１直進移動枠、２６：第２直進移動枠、２７：前飾り部品、２８：第２レンズ保持枠、２９：固定基板、３０：金属製リング、３１：第１レンズ群、３２：第２レンズ群、３３：第３レンズ群、３４：シャッタ・絞り装置
【図１】
2008076580.tif 000003
【図２】
2008076580.tif 000004
【図３】
2008076580.tif 000005
【図４】
2008076580.tif 000006
【図５】
2008076580.tif 000007